(57)【要約】【課題】錠前の破壊を阻止する。また、ピッキング等による施錠の不正解除を阻止する【解決手段】カバー１は錠前のシリンダー部分２の室外露出面を覆うように設けられており、略中央部にはシリンダー部分２のキー挿入部に相似した隙間１ａが形成され、隙間１ａは極めて厚さの薄いキー３に対応した狭い形状に形成されている。キー３はシリンダー部分２内に挿入する挿入部分４と取っ手部分５と、これら挿入部分４と取っ手部分５とを連結する連結部分６とから構成されている。少なくともキー３の挿入部分４と連結部分６とは極めて薄い厚さの形状に形成されている。連結部分６はカバー１の厚さよりも長く形成されるとともに、隙間１ａ内で回転可能な大きさに形成されている。【選択図】    図３
2004308180.tif 000002
【特許請求の範囲】
【請求項１】
キー挿入部を除いたシリンダー錠前の室外露出面を覆うカバーと、シリンダー内挿入部分と取っ手部分との間に細長い形状の連結部分を形成したキーとから構成されるものであって、該キーの連結部分は前記カバーのキー挿入部厚さよりも長く形成されるとともに、カバーのキー挿入部内で回転可能に形成されていることを特徴とするシリンダー錠前破錠阻止カバー。
【請求項２】
シリンダー錠前におけるシリンダー部分の振動を感知して信号を出力するセンサーと、該センサーから受信される信号の継続が所定時間経過した場合に信号を出力するコントロール機構と、該コントロール機構から出力される前記信号を受信してシリンダー錠前の施錠または開錠する可動部をロックするロック機構とを備えるものであって、前記可動部のロック状態が所定時間経過後、前記コントロール機構は前記ロック機構に信号を送って前記可動部のロック状態を解除させることを特徴とする防犯シリンダー錠前。
【請求項３】
シリンダー錠前におけるシリンダー部分の振動を感知して信号を出力するセンサーと、該センサーから受信される信号の継続が所定時間経過した場合に信号を出力するコントロール機構と、該コントロール機構から出力される前記信号を受信してシリンダー錠前の施錠または開錠する可動部をロックするロック機構と、シリンダー部分に振動を伝達する振動発生部とを備えるものであって、前記可動部のロック状態が所定時間経過後、前記コントロール機構は前記ロック機構に信号を送って前記可動部のロック状態を解除させるとともに、同時もしくはその前後に前記振動発生部にも信号を送ってシリンダー部分に振動を伝達することを特徴とする防犯シリンダー錠前。
【発明の詳細な説明】
【０００１】
【発明の属する技術分野】
本発明は、錠前の破壊行為を阻止出来るシリンダー錠前破錠阻止カバーおよび施錠の不正解除を不可能とする防犯シリンダー錠前に関する。
【０００２】
【従来の技術】
近年、シリンダー錠前を破壊する、あるいはピッキング工具等を用いて施錠を不正解除した後、窃盗を働く犯罪が多発しており、様々な対策が施されつつある。先年、当出願人においても「防犯錠前」と題したピッキング不可能な錠前を特許出願して特許を取得した（特許第３１９３９５７号）。
【０００３】
上記「防犯錠前」の構成は、通常のシリンダー部（鍵穴部）を第１ロック機構とし、これとは別に第２のロック機構を設けたものである。鍵穴内に物体（キーを含め）が挿入されると、これをセンサーが感知する。一定時間経過後（３〜５秒）にシリンダー部が回転していない場合、第２のロック機構が錠前全体をロックする構成である。この構成により、ピッキング等によりシリンダー部が不正解除されたとしても、第２ロック機構が錠前全体をロックしているため、施錠の解除は不可能となるものである。
【０００４】
【発明が解決しようとする課題】
前記「防犯錠前」においては、以下のような問題点を有している。
すなわち、ピッキングを完全に阻止できるものの、錠前の破壊行為（以下、破錠という）に対して従来の錠前と同様の弱点を有していた。
破錠は近年多用されだした犯罪であり、鍵穴外表面にドリル等を当てて鍵穴そのものを破壊する。あるいは、鍵穴に棒状の先端を差し込み、鍵穴の回転を止めているピンに対して大きな力を作用させてピンを破壊する方法等がある。
【０００５】
また、従来の錠前を防犯錠前に改造する場合、シリンダー部分の改造が困難であり部品点数が増加してしまう問題があった。さらに、シリンダー部分の長大化に伴い、デッドボルトの位置が室内側に移動してしまう場合が多々発生し、デッドボルトとそれを収納するストライクとの位置不適合の問題が発生する。
【０００６】
因って、本発明は従来の問題点に鑑みて開発されたもので、破錠を阻止出来るシリンダー錠前破錠阻止カバーの提供を目的とする。
また、ピッキングによる錠前の不正解除を完全に阻止できることは勿論、シリンダー部分の改造が最小限度で済むとともに、改造部品点数の減少が図れる防犯シリンダー錠前の提供を目的とする。
【０００７】
【課題を解決するための手段】
本発明は、キー挿入部を除いたシリンダー錠前の室外露出面を覆うカバーと、シリンダー内挿入部分と取っ手部分との間に細長い形状の連結部分を形成したキーとから構成されるものであって、該キーの連結部分は前記カバーのキー挿入部厚さよりも長く形成されるとともに、カバーのキー挿入部内で回転可能に形成されているものである。
【０００８】
また、シリンダー錠前におけるシリンダー部分の振動を感知して信号を出力するセンサーと、該センサーから受信される信号の継続が所定時間経過した場合に信号を出力するコントロール機構と、該コントロール機構から出力される前記信号を受信してシリンダー錠前の施錠または開錠する可動部をロックするロック機構とを備えるものであって、前記可動部のロック状態が所定時間経過後、前記コントロール機構は前記ロック機構に信号を送って前記可動部のロック状態を解除させるものである。
【０００９】
さらに、シリンダー錠前におけるシリンダー部分の振動を感知して信号を出力するセンサーと、該センサーから受信される信号の継続が所定時間経過した場合に信号を出力するコントロール機構と、該コントロール機構から出力される前記信号を受信してシリンダー錠前の施錠または開錠する可動部をロックするロック機構と、シリンダー部分に振動を伝達する振動発生部とを備えるものであって、前記可動部のロック状態が所定時間経過後、前記コントロール機構は前記ロック機構に信号を送って前記可動部のロック状態を解除させるとともに、同時もしくはその前後に前記振動発生部にも信号を送ってシリンダー部分に振動を伝達するものである。
【００１０】
【発明の実施の形態】
（実施の形態１）
図１〜４は本実施の形態を示し、図１はカバーの正面図、図２はキーの平面図、図３は使用状態を示す平面図、図４は同側面図である。
【００１１】
１は強固なカバーで、このカバー１は錠前のシリンダー部分２の室外露出面を覆うように設けられている。カバー１は電気ドリル（図示省略）等にても容易に破壊されない強靭な材質で形成されており、錠前のシリンダー部分２の室外露出面と僅かな間隙を保って回転不可能に固設されている。強固なカバー１の略中央部にはシリンダー部分２のキー挿入部に相似した隙間１ａが形成されている。
【００１２】
カバー１の隙間１ａは極めて厚さの薄いキー３に対応した狭い形状に形成されており、隙間１ａ内に破錠目的の工具（図示省略）を挿入してカバー１を破壊しようとしても、隙間１ａの狭い形状から挿入される工具の断面も薄くならざるを得ず、隙間１ａを破壊できないように形成されている。
【００１３】
キー３はシリンダー部分２内に挿入する挿入部分４と取っ手部分５と、これら挿入部分４と取っ手部分５とを連結する細長い形状の連結部分６とから構成されている。少なくともキー３の挿入部分４と連結部分６とは極めて薄い厚さの形状に形成されている。
【００１４】
連結部分６はキー３の中心軸に設けられ、強固なカバー１の厚さよりも長く形成されるとともに、隙間１ａ内で回転可能な大きさに形成されている。
従って、連結部分６はキー３の挿入部分４をシリンダー部分２内に収納した際、キー３の取っ手部分５を回転させた力が挿入部分４に伝達でき、シリンダー部分２を回転出来るように構成されている。
【００１５】
以上の構成からなるシリンダー錠前の使用方法は、キー３の取っ手部分５を把持してキー３の挿入部分４先端を強固なカバー１の隙間１ａ内に挿入し、さらに押し込むことによってキー３の挿入部分４をシリンダー部分２内に収納する。
次に、通常のキーと同様にキー３の取っ手部分５を回転させてシリンダー錠前の施錠または開錠を行う。
【００１６】
本実施の形態によれば、強固なカバー１を設けたことにより、電動ドリル等による錠前のシリンダー部分２の室外露出面への破壊行為を阻止することが出来る。また、シリンダー部分２内に対する破壊も、強固なカバー１の隙間１ａを設けたことにより、破壊工具（図示省略）をシリンダー部分２内に侵入させることが困難となり、破壊工具を侵入させたとしても隙間１ａ内での回転に制約を受けるため回転させることが出来ず、破壊を阻止することが出来る。さらに、隙間１ａを設けたことにより、ピッキング工具の動作を制限することができるため、錠前の不正解除を困難とすることが出来る。
【００１７】
尚、本実施の形態ではキー３の中心軸に連結部分６を設けたが、本発明はこれに限定するものではなく、中心軸以外に連結部分６を設けることが出来る。
【００１８】
また、本実施の形態ではキー３の挿入部分４と取っ手部分５とを連結部分６にて連結したが、本発明はこれに限定するものではなく、挿入部分４，取っ手部分５および連結部分６を同一な部材で一体に形成することが出来る。
【００１９】
（実施の形態２）
図５は本実施の形態を示す概略構成図である。
【００２０】
１１は錠前本体で、この錠前本体１１は外筒１２と外筒１２内へ回転可能に嵌合されたシリンダー枠１３とから構成されている。シリンダー枠１３の内部には鍵（図示省略）の挿入される鍵穴１４が形成されている。
【００２１】
鍵穴１４の鍵挿入口１５他端側のシリンダー枠１３にはシリンダー回転板１６が設けられている。シリンダー回転板１６にはシリンダー枠１３の振動を検知するセンサー１７が設置されている。また、シリンダー回転板１６にはロッド嵌合孔１８が穿設されている。ロッド嵌合孔１８の近傍にはロック機構１９が設置されている。ロック機構１９にはロッド２０が左右摺動自在に設けられており、ロッド２０の先端がロッド嵌合孔１８に嵌合することによってシリンダー枠１３の回転を阻止出来るように構成されている。
【００２２】
外筒１２内には多数のピン嵌合穴２１が設けられている。ピン嵌合穴２１内にはドライバーピン２２およびタンブラーピン２３と、これらドライバーピン２２およびタンブラーピン２３を常時シリンダー枠１３の鍵穴１４内に付勢するバネ２４とが収納されている。ドライバーピン２２とタンブラーピン２３とはシャーライン２５を介して連結分離自在に接続されている。
【００２３】
各ドライバーピン２２およびタンブラーピン２３は異なった長さに形成されており、それぞれのシャーライン２５も異なった位置となるように設定されている。キー（図示省略）を挿入した際、それぞれのシャーライン２５が外筒１２とシリンダー枠１３との境界部で揃うことによってシリンダー枠１３が回転可能となり、施錠の解除が出来るように構成されている。
【００２４】
２６はタイマー（図示省略）を内蔵したコントロール機構で、このコントロール機構２６は接続されたバッテリー２７からの給電により作動する。また、コントロール機構２６はセンサー１７からの信号を受けることが出来るように接続されており、これらの信号を処理してロック機構１９に電力を送り作動させる。
【００２５】
以上の構成からなる錠前本体１１においては鍵挿入口１５よりキーを鍵穴１４内に挿入して正常な施錠の解除を行う。この時、キーの挿入から施錠の解除まで１〜２秒前後かかるものであるが、シリンダー枠１３からの振動も同様に１〜２秒前後にわたり発生する。
【００２６】
ピッキング工具による施錠の不正解除の場合、多数の各シャーライン２５のそれぞれを外筒１２とシリンダー枠１３との境界部で揃えるために長時間を要するが、それに伴ってシリンダー枠１３からの振動も長時間にわたって発生する。
【００２７】
センサー１７はシリンダー枠１３の振動を感知してコントロール機構２６に信号を送る。コントロール機構２６は送られてきた振動の信号が連続して１０秒間経過した場合にはロック機構１９へ電力を送り、ロッド２０を作動させてその先端をロッド嵌合孔１８に嵌合する。これにより、シリンダー枠１３の回転を阻止することができるロック状態となり、錠前本体１１の施錠は解除不可能となる。
【００２８】
上記ロック状態で３０分が経過した後、コントロール機構２６はロッド２０を逆作動させる電力をロック機構１９へ送り、ロッド２０の先端をロッド嵌合孔１８より引き出す。これにより、シリンダー枠１３の固定が外されてロック状態は解除となり、錠前本体１１は通常の施錠状態となる。
【００２９】
本実施の形態によれば、ピッキングによる施錠の不正解除を阻止する事が出来る。また、市販されている錠前をピッキング不可能な錠前に改造する事が容易に行える。
【００３０】
尚、本実施の形態ではバッテリー２７を使用したが、本発明はこれに限定するものではなく、バッテリー２７に代わって交流電源を用いることが出来る。さらに、バッテリー２７と交流電源とを併用することも出来る。
【００３１】
また、本実施の形態ではセンサー１７からの振動の信号が１０秒以上連続した場合、コントロール機構２６はロック機構１９へ電力を送ってロッド２０を作動させたが、本発明は振動の信号を１０秒以上連続した場合に限定するものではなく、任意の時間を設定することが出来る。
【００３２】
さらに、本実施の形態ではシリンダー枠１３の回転を阻止するロック状態を３０分としたが、本発明はこれに限定するものではなく、任意の時間を設定する事が出来る。
【００３３】
また、本実施の形態ではセンサー１７をシリンダー回転板１６に設置したが、本発明はこれに限定するものではなく、シリンダー枠１３の振動を検知出来るのであればセンサー１７の設置場所を問わないものである。
【００３４】
さらに、本実施の形態ではロッド２０の先端を嵌合するロッド嵌合孔１８を穿設したが、本発明はこれに限定するものではなく、シリンダー枠１３の回転を阻止することができればよいものであり、ロッド嵌合孔１８に代わりシリンダー回転板１６にロッド２０の先端が係合できる溝などを形成しても良い。
【００３５】
また、本発明のロック機構１９はシリンダー枠１３を回転不可能に固定できるもので有れば良く、シリンダー枠１３の回転と連動しているデッドボルト（図示省略）や、シリンダー枠１３とデッドボルトとを連結しているリンク機構（図示省略）等にロック機構１９を設けても良い。
【００３６】
（実施の形態３）
図６は本実施の形態を示す概略構成図である。
本実施の錠前本体３１は前記実施の形態２における外筒１２の外周に振動発生部３２を設けて構成した点が異なり、他の構成は同一な構成部分からなるもので、同一な構成部分には同一番号を付してその説明を省略する。
【００３７】
以上の構成からなる錠前本体３１のコントロール機構２６は、振動の信号が１０秒間連続した場合にロック機構１９のロッド２０を作動させ、その先端をロッド嵌合孔１８に嵌合してシリンダー枠１３の回転を阻止する。
【００３８】
ロック機構１９のロック状態が所定時間経過後、コントロール機構２６はロック機構１９に信号を送ってロック状態を解除させる。同時もしくはその前後にコントロール機構２６は振動発生部３２にも信号を送って振動を発生させるが、その振動はシリンダー枠１３に伝達される。
【００３９】
伝達された振動は、各シャーライン２５のそれぞれが外筒１２とシリンダー枠１３との境界部の位置で揃っていた場合に各シャーライン２５を元の異なった位置に移動させるものである。
【００４０】
ロック機構１９をロック状態にさせた後、各シャーライン２５の位置を揃えた状態でロック状態の解除を待ち、ロック状態の解除後にシリンダー枠１３を回すと施錠が不正解除されてしまう可能性がある。振動の伝達により、各シャーライン２５を元の異なった位置に移動させることによって不正解除の可能性を抹消する。
【００４１】
本実施の形態によれば、前記実施の形態２と同様な効果が得られるとともに、施錠の不正解除を完全に阻止する事が出来る。
【００４２】
尚、本実施の形態では外筒１２の外周に振動発生部３２を設けて構成したが、本発明は外枠１２およびシリンダー枠１３に振動が伝達されれば目的を達成するものであり、振動発生部３２の取り付け位置を限定するものではない。
【００４３】
【発明の効果】
本発明によれば、破錠を阻止する事が出来る。また、ピッキング等による施錠の不正解除を阻止することが出来る。
【図面の簡単な説明】
【図１】実施の形態１を示すカバーの正面図である。
【図２】実施の形態１を示すキーの平面図である。
【図３】実施の形態１の使用状態を示す平面図である。
【図４】実施の形態１の使用状態を示す側面図である。
【図５】実施の形態２を示す概略構成図である。
【図６】実施の形態３を示す概略構成図である。
【符号の説明】
１  カバー
２  シリンダー部分
３  キー
４  挿入部分
５  取っ手部分
６  連結部分
１１、３１  錠前本体
１２  外筒
１３  シリンダー枠
１４  鍵穴
１５  鍵挿入口
１６  シリンダー回転板
１７  センサー
１８  嵌合孔
１９  ロック機構
２０  ロッド
２１  ピン嵌合穴
２２  ドライバーピン
２３  タンブラーピン
２４  バネ
２５  シャーライン
２６  コントロール機構
２７  バッテリー
３２  振動発生部
【図１】
2004308180.tif 000003
【図２】
2004308180.tif 000004
【図３】
2004308180.tif 000005
【図４】
2004308180.tif 000006
【図５】
2004308180.tif 000007
【図６】
2004308180.tif 000008
【手続補正書】
【提出日】平成15年7月17日(2003.7.17)
【手続補正１】
【補正対象書類名】明細書
【補正対象項目名】全文
【補正方法】変更
【補正の内容】
【特許請求の範囲】
【請求項１】キー挿入部を除いたシリンダー錠前の室外露出面を覆うとともに、回転不可能に固設されたカバーと、シリンダー内挿入部分と取っ手部分との間に細長い形状の連結部分を形成したキーとから構成されるものであって、該キーの連結部分は前記カバーのキー挿入部厚さよりも長く形成されるとともに、カバーのキー挿入部内で回転可能に形成されていることを特徴とするシリンダー錠前破錠阻止カバー。
【請求項２】シリンダー錠前におけるシリンダー部分の振動を感知して信号を出力するセンサーと、該センサーから受信される信号の継続が所定時間経過した場合に信号を出力するコントロール機構と、該コントロール機構から出力される前記信号を受信してシリンダー錠前の施錠または開錠する可動部をロックするロック機構と、シリンダー部分に振動を伝達する振動発生部とを備えるものであって、前記可動部のロック状態が所定時間経過後、前記コントロール機構は前記ロック機構に信号を送って前記可動部のロック状態を解除させると同時もしくはその前後に前記振動発生部にも信号を送ってシリンダー部分に振動を伝達することを特徴とする防犯シリンダー錠前。
【発明の詳細な説明】
【０００１】
【発明の属する技術分野】
本発明は、錠前の破壊行為を阻止出来るシリンダー錠前破錠阻止カバーおよび施錠の不正解除を不可能とする防犯シリンダー錠前に関する。
【０００２】
【従来の技術】
近年、シリンダー錠前を破壊する、あるいはピッキング工具等を用いて施錠を不正解除した後、窃盗を働く犯罪が多発しており、様々な対策が施されつつある。先年、当出願人においても「防犯錠前」と題したピッキング不可能な錠前を特許出願して特許を取得した（特許第３１９３９５７号）。
【０００３】
上記「防犯錠前」の構成は、通常のシリンダー部（鍵穴部）を第１ロック機構とし、これとは別に第２のロック機構を設けたものである。鍵穴内に物体（キーを含め）が挿入されると、これをセンサーが感知する。一定時間経過後（３〜５秒）にシリンダー部が回転していない場合、第２のロック機構が錠前全体をロックする構成である。この構成により、ピッキング等によりシリンダー部が不正解除されたとしても、第２ロック機構が錠前全体をロックしているため、施錠の解除は不可能となるものである。
【０００４】
【発明が解決しようとする課題】
前記「防犯錠前」においては、以下のような問題点を有している。
すなわち、ピッキングを完全に阻止できるものの、錠前の破壊行為（以下、破錠という）に対して従来の錠前と同様の弱点を有していた。
破錠は近年多用されだした犯罪であり、鍵穴外表面にドリル等を当てて鍵穴そのものを破壊する。あるいは、鍵穴に棒状の先端を差し込み、鍵穴の回転を止めているピンに対して大きな力を作用させてピンを破壊する方法等がある。
【０００５】
また、従来の錠前を防犯錠前に改造する場合、シリンダー部分の改造が困難であり部品点数が増加してしまう問題があった。さらに、シリンダー部分の長大化に伴い、デッドボルトの位置が室内側に移動してしまう場合が多々発生し、デッドボルトとそれを収納するストライクとの位置不適合の問題が発生する。
【０００６】
因って、本発明は従来の問題点に鑑みて開発されたもので、破錠を阻止出来るシリンダー錠前破錠阻止カバーの提供を目的とする。
また、ピッキングによる錠前の不正解除を完全に阻止できることは勿論、シリンダー部分の改造が最小限度で済むとともに、改造部品点数の減少が図れる防犯シリンダー錠前の提供を目的とする。
【０００７】
【課題を解決するための手段】
本発明は、キー挿入部を除いたシリンダー錠前の室外露出面を覆うとともに、回転不可能に固設されたカバーと、シリンダー内挿入部分と取っ手部分との間に細長い形状の連結部分を形成したキーとから構成されるものであって、該キーの連結部分は前記カバーのキー挿入部厚さよりも長く形成されるとともに、カバーのキー挿入部内で回転可能に形成されているものである。
【０００８】
また、シリンダー錠前におけるシリンダー部分の振動を感知して信号を出力するセンサーと、該センサーから受信される信号の継続が所定時間経過した場合に信号を出力するコントロール機構と、該コントロール機構から出力される前記信号を受信してシリンダー錠前の施錠または開錠する可動部をロックするロック機構と、シリンダー部分に振動を伝達する振動発生部とを備えるものであって、前記可動部のロック状態が所定時間経過後、前記コントロール機構は前記ロック機構に信号を送って前記可動部のロック状態を解除させると同時もしくはその前後に前記振動発生部にも信号を送ってシリンダー部分に振動を伝達するものである。
【０００９】
【発明の実施の形態】
（実施の形態１）
図１〜４は本実施の形態を示し、図１はカバーの正面図、図２はキーの平面図、図３は使用状態を示す平面図、図４は同側面図である。
【００１０】
１は強固なカバーで、このカバー１は錠前のシリンダー部分２の室外露出面を覆うように設けられている。カバー１は電気ドリル（図示省略）等にても容易に破壊されない強靭な材質で形成されており、錠前のシリンダー部分２の室外露出面と僅かな間隙を保って回転不可能に固設されている。強固なカバー１の略中央部にはシリンダー部分２のキー挿入部に相似した隙間１ａが形成されている。
【００１１】
カバー１の隙間１ａは極めて厚さの薄いキー３に対応した狭い形状に形成されており、隙間１ａ内に破錠目的の工具（図示省略）を挿入してカバー１を破壊しようとしても、隙間１ａの狭い形状から挿入される工具の断面も薄くならざるを得ず、隙間１ａを破壊できないように形成されている。
【００１２】
キー３はシリンダー部分２内に挿入する挿入部分４と取っ手部分５と、これら挿入部分４と取っ手部分５とを連結する細長い形状の連結部分６とから構成されている。少なくともキー３の挿入部分４と連結部分６とは極めて薄い厚さの形状に形成されている。
【００１３】
連結部分６はキー３の中心軸に設けられ、強固なカバー１の厚さよりも長く形成されるとともに、隙間１ａ内で回転可能な大きさに形成されている。
従って、連結部分６はキー３の挿入部分４をシリンダー部分２内に収納した際、キー３の取っ手部分５を回転させた力が挿入部分４に伝達でき、シリンダー部分２を回転出来るように構成されている。
【００１４】
以上の構成からなるシリンダー錠前の使用方法は、キー３の取っ手部分５を把持してキー３の挿入部分４先端を強固なカバー１の隙間１ａ内に挿入し、さらに押し込むことによってキー３の挿入部分４をシリンダー部分２内に収納する。
次に、通常のキーと同様にキー３の取っ手部分５を回転させてシリンダー錠前の施錠または開錠を行う。
【００１５】
本実施の形態によれば、強固なカバー１を設けたことにより、電動ドリル等による錠前のシリンダー部分２の室外露出面への破壊行為を阻止することが出来る。また、シリンダー部分２内に対する破壊も、強固なカバー１の隙間１ａを設けたことにより、破壊工具（図示省略）をシリンダー部分２内に侵入させることが困難となり、破壊工具を侵入させたとしても隙間１ａ内での回転に制約を受けるため回転させることが出来ず、破壊を阻止することが出来る。さらに、隙間１ａを設けたことにより、ピッキング工具の動作を制限することができるため、錠前の不正解除を困難とすることが出来る。
【００１６】
尚、本実施の形態ではキー３の中心軸に連結部分６を設けたが、本発明はこれに限定するものではなく、中心軸以外に連結部分６を設けることが出来る。
【００１７】
また、本実施の形態ではキー３の挿入部分４と取っ手部分５とを連結部分６にて連結したが、本発明はこれに限定するものではなく、挿入部分４，取っ手部分５および連結部分６を同一な部材で一体に形成することが出来る。
【００１８】
（実施の形態２）
図５は本実施の形態を示す概略構成図である。
【００１９】
３１は錠前本体で、この錠前本体３１は外筒１２と外筒１２内へ回転可能に嵌合されたシリンダー枠１３とから構成されている。シリンダー枠１３の内部には鍵（図示省略）の挿入される鍵穴１４が形成されている。
【００２０】
鍵穴１４の鍵挿入口１５他端側のシリンダー枠１３にはシリンダー回転板１６が設けられている。シリンダー回転板１６にはシリンダー枠１３の振動を検知するセンサー１７が設置されている。また、シリンダー回転板１６にはロッド嵌合孔１８が穿設されている。ロッド嵌合孔１８の近傍にはロック機構１９が設置されている。ロック機構１９にはロッド２０が左右摺動自在に設けられており、ロッド２０の先端がロッド嵌合孔１８に嵌合することによってシリンダー枠１３の回転を阻止出来るように構成されている。
【００２１】
外筒１２内には多数のピン嵌合穴２１が設けられている。ピン嵌合穴２１内にはドライバーピン２２およびタンブラーピン２３と、これらドライバーピン２２およびタンブラーピン２３を常時シリンダー枠１３の鍵穴１４内に付勢するバネ２４とが収納されている。ドライバーピン２２とタンブラーピン２３とはシャーライン２５を介して連結分離自在に接続されている。
【００２２】
各ドライバーピン２２およびタンブラーピン２３は異なった長さに形成されており、それぞれのシャーライン２５も異なった位置となるように設定されている。キー（図示省略）を挿入した際、それぞれのシャーライン２５が外筒１２とシリンダー枠１３との境界部で揃うことによってシリンダー枠１３が回転可能となり、施錠の解除が出来るように構成されている。
【００２３】
２６はタイマー（図示省略）を内蔵したコントロール機構で、このコントロール機構２６は接続されたバッテリー２７からの給電により作動する。また、コントロール機構２６はセンサー１７からの信号を受けることが出来るように接続されており、これらの信号を処理してロック機構１９に電力を送り作動させる。さらに、外筒１２の外周には振動発生部３２が設けられている。
【００２４】
以上の構成からなる錠前本体３１においては鍵挿入口１５よりキーを鍵穴１４内に挿入して正常な施錠の解除を行う。この時、キーの挿入から施錠の解除まで１〜２秒前後かかるものであるが、シリンダー枠１３からの振動も同様に１〜２秒前後にわたり発生する。
【００２５】
ピッキング工具による施錠の不正解除の場合、多数の各シャーライン２５のそれぞれを外筒１２とシリンダー枠１３との境界部で揃えるために長時間を要するが、それに伴ってシリンダー枠１３からの振動も長時間にわたって発生する。
【００２６】
センサー１７はシリンダー枠１３の振動を感知してコントロール機構２６に信号を送る。コントロール機構２６は送られてきた振動の信号が連続して１０秒間経過した場合にはロック機構１９へ電力を送り、ロッド２０を作動させてその先端をロッド嵌合孔１８に嵌合する。これにより、シリンダー枠１３の回転を阻止することができるロック状態となり、錠前本体３１の施錠は解除不可能となる。
【００２７】
ロック機構１９のロック状態が３０分を経過した後、コントロール機構２６はロック機構１９に信号を送ってロック状態を解除させる。同時もしくはその前後にコントロール機構２６は振動発生部３２にも信号を送って振動を発生させるが、その振動はシリンダー枠１３に伝達される。
【００２８】
伝達された振動は、各シャーライン２５のそれぞれが外筒１２とシリンダー枠１３との境界部の位置で揃っていた場合に各シャーライン２５を元の異なった位置に移動させるものである。
【００２９】
ロック機構１９をロック状態にさせた後、各シャーライン２５の位置を揃えた状態でロック状態の解除を待ち、ロック状態の解除後にシリンダー枠１３を回すと施錠が不正解除されてしまう可能性がある。振動の伝達により、各シャーライン２５を元の異なった位置に移動させることによって不正解除の可能性を抹消する。
【００３０】
本実施の形態によれば、施錠の不正解除を完全に阻止する事が出来る。
【００３１】
尚、本実施の形態ではバッテリー２７を使用したが、本発明はこれに限定するものではなく、バッテリー２７に代わって交流電源を用いることが出来る。さらに、バッテリー２７と交流電源とを併用することも出来る。
【００３２】
また、本実施の形態ではセンサー１７からの振動の信号が１０秒以上連続した場合、コントロール機構２６はロック機構１９へ電力を送ってロッド２０を作動させたが、本発明は振動の信号を１０秒以上連続した場合に限定するものではなく、任意の時間を設定することが出来る。
【００３３】
さらに、本実施の形態ではシリンダー枠１３の回転を阻止するロック状態を３０分としたが、本発明はこれに限定するものではなく、任意の時間を設定する事が出来る。
【００３４】
また、本実施の形態ではセンサー１７をシリンダー回転板１６に設置したが、本発明はこれに限定するものではなく、シリンダー枠１３の振動を検知出来るのであればセンサー１７の設置場所を問わないものである。
【００３５】
さらに、本実施の形態ではロッド２０の先端を嵌合するロッド嵌合孔１８を穿設したが、本発明はこれに限定するものではなく、シリンダー枠１３の回転を阻止することができればよいものであり、ロッド嵌合孔１８に代わりシリンダー回転板１６にロッド２０の先端が係合できる溝などを形成しても良い。
【００３６】
また、本発明のロック機構１９はシリンダー枠１３を回転不可能に固定できるもので有れば良く、シリンダー枠１３の回転と連動しているデッドボルト（図示省略）や、シリンダー枠１３とデッドボルトとを連結しているリンク機構（図示省略）等にロック機構１９を設けても良い。
【００３７】
さらに、本実施の形態では外筒１２の外周に振動発生部３２を設けて構成したが、本発明は外枠１２およびシリンダー枠１３に振動が伝達されれば目的を達成するものであり、振動発生部３２の取り付け位置を限定するものではない。
【００３８】
【発明の効果】
本発明によれば、破錠を阻止する事が出来る。また、ピッキング等による施錠の不正解除を阻止することが出来る。
【図面の簡単な説明】
【図１】実施の形態１を示すカバーの正面図である。
【図２】実施の形態１を示すキーの平面図である。
【図３】実施の形態１の使用状態を示す平面図である。
【図４】実施の形態１の使用状態を示す側面図である。
【図５】実施の形態２を示す概略構成図である。
【符号の説明】
１  カバー
２  シリンダー部分
３  キー
４  挿入部分
５  取っ手部分
６  連結部分
３１  錠前本体
１２  外筒
１３  シリンダー枠
１４  鍵穴
１５  鍵挿入口
１６  シリンダー回転板
１７  センサー
１８  嵌合孔
１９  ロック機構
２０  ロッド
２１  ピン嵌合穴
２２  ドライバーピン
２３  タンブラーピン
２４  バネ
２５  シャーライン
２６  コントロール機構
２７  バッテリー
３２  振動発生部


【手続補正２】
【補正対象書類名】図面
【補正対象項目名】全図
【補正方法】変更
【補正の内容】
【図１】
2004308180.tif 000009
【図２】
2004308180.tif 000010
【図３】
2004308180.tif 000011
【図４】
2004308180.tif 000012
【図５】
2004308180.tif 000013